(57)【要約】【課題】レンズ枠の歪みやレンズの偏芯を防ぐことができる焦点調節機構を提供する。【解決手段】外側に突出するボス２１が設けられたレンズ枠２０と、ボス２１が挿通されるカム溝１１が設けられ、ボス２１をカム溝１１に沿って移動可能となるようにレンズ枠２０をスライド可能に保持する鏡胴１０とを備える焦点調節機構１である。ボス２１が挿通孔３２に挿通された固定部材３０を鏡胴１０に固定することで、ボス２１のカム溝１１に沿った移動を拘束し、レンズ枠２０を鏡胴１０に固定することができるので、ボス２１によりレンズ枠２０が鏡胴１０側に引っ張られることがなく、レンズ枠２０の歪みやレンズ２３〜２７の偏芯を防ぐことができる。【選択図】図２
2008083540.tif 000002
【特許請求の範囲】
【請求項１】
ボスが突設されたレンズ枠と、
前記ボスが挿通されるカム溝が設けられ、前記ボスをカム溝に沿って移動可能となるように前記レンズ枠をスライド可能に保持する鏡胴と、
前記ボスが挿通される挿通孔が設けられ、前記鏡胴に固定される固定部材とを備えることを特徴とする焦点調節機構。
【請求項２】
前記固定部材には前記挿通孔から離間した位置に長穴が設けられ、
前記鏡胴には前記カム溝から離間した位置にネジ孔が設けられ、
前記長穴に挿通され前記ネジ孔に螺合する固定ネジを備えることを特徴とする請求項１に記載の焦点調節機構。
【請求項３】
前記固定部材の前記鏡胴側の面には、前記挿通孔から離間した位置に、前記カム溝と係合する突起が設けられていることを特徴とする請求項１または２に記載の焦点調節機構。
【発明の詳細な説明】
【技術分野】
【０００１】
本発明は、カメラ等の焦点調節機構に関する。
【背景技術】
【０００２】
従来、カメラ等においては、レンズ枠を鏡胴の内部に光軸方向及び周方向にスライド可能に保持し、鏡胴に設けられたカム溝に、レンズ枠から突出するボスを係合させ、カム溝に沿ってボスを移動させることでレンズの焦点調節を行う焦点調節機構が知られている（例えば、特許文献１参照）。
【０００３】
また、図６に示すように、従来の焦点調節機構１０１においては、レンズ枠１２０にボス１２１を螺合させ、ボス１２１を緩めた状態でレンズ枠１２０を鏡胴１１０に対して光軸方向に移動させ、所定の焦点位置においてボス１２１をレンズ枠１２０に締め付けることで、ボス１２１の頭部とレンズ枠１２０とで鏡胴１１０を挟持し、焦点調節後のレンズ枠１２０を鏡胴１１０に固定する構造がある。
【特許文献１】特開２００２−２６７９１６号公報
【発明の開示】
【発明が解決しようとする課題】
【０００４】
しかし、図６の構造では、ボス１２１によりレンズ枠１２０が鏡胴１１０側に引っ張られるため、レンズ枠１２０の歪みや、レンズ１２３〜１２７の偏芯等の問題が発生するおそれがあった。
【０００５】
本発明の課題は、レンズ枠の歪みやレンズの偏芯を防ぐことができる焦点調節機構を提供することである。
【課題を解決するための手段】
【０００６】
以上の課題を解決するため、請求項１に記載の発明は、ボスが突設されたレンズ枠と、前記ボスが挿通されるカム溝が設けられ、前記ボスをカム溝に沿って移動可能となるように前記レンズ枠をスライド可能に保持する鏡胴と、前記ボスが挿通される挿通孔が設けられ、前記鏡胴に固定される固定部材とを備えることを特徴とする焦点調節機構である。
【０００７】
請求項１に記載の発明によれば、ボスが挿通孔に挿通された固定部材を鏡胴に固定することで、ボスのカム溝に沿った移動を拘束し、レンズ枠を鏡胴に固定することができる。
【０００８】
請求項２に記載の発明は、請求項１に記載の焦点調節機構であって、前記固定部材には前記挿通孔から離間した位置に長穴が設けられ、前記鏡胴には前記カム溝から離間した位置にネジ孔が設けられ、前記長穴に挿通され前記ネジ孔に螺合する固定ネジを備えることを特徴とする。
【０００９】
請求項２に記載の発明によれば、固定ネジを緩めることで固定ネジの長穴に沿った移動及びボスのカム溝に沿った移動が許容され、固定ネジを締めることで固定部材を鏡胴に固定することができ、長穴の任意の位置で固定ネジを締めてレンズ枠を固定することができる。
【００１０】
請求項３に記載の発明は、請求項１または２に記載の焦点調節機構であって、前記固定部材の前記鏡胴側の面には、前記挿通孔から離間した位置に、前記カム溝と係合する突起が設けられていることを特徴とする。
【００１１】
請求項３に記載の発明によれば、固定部材の鏡胴側の面には、挿通孔から離間した位置に、カム溝と係合する突起が設けられているので、ボスを挿通孔に挿通させるとともに突起をカム溝に係合させることで、固定部材がボスに対して回転することを防止することができる。
【発明の効果】
【００１２】
本発明によれば、ボスによりレンズ枠が鏡胴側に引っ張られることがなく、レンズ枠の歪みやレンズの偏芯を防ぐことができる。
【発明を実施するための最良の形態】
【００１３】
以下、本発明の実施の形態について詳細に説明する。図１は、本発明が適用されたカメラの焦点調節機構１を示す斜視図であり、図２は図１のII−II矢視断面図である。焦点調節機構１は、図１、図２に示すように、鏡胴１０と、レンズ枠２０と、ボス２１と、固定部材３０と、固定ネジ３１とを備える。
【００１４】
図３は鏡胴１０を示す斜視図である。鏡胴１０は円筒形であり、鏡胴１０にはボス２１が挿通されるカム溝１１と、固定ネジ３１が螺合するネジ孔１２とが設けられている。
カム溝１１は光軸方向に対して螺旋状に設けられている。
ネジ孔１２はカム溝１１の長さ方向の中央位置の近傍に、カム溝１１と離間して設けられている。
【００１５】
レンズ枠２０は、図２に示すように、複数のレンズ２３〜２７を保持しており、鏡胴１０の内部に光軸方向及び周方向にスライド可能に保持されている。レンズ枠２０にはネジ孔２２が設けられている。ネジ孔２２にボス２１が螺合することで、レンズ枠２０の外側にボス２１が突出するように固定される。
ボス２１はカム溝１１に挿通されているため、ボス２１がカム溝１１に沿って光軸方向に対して螺旋状に移動され、これによりレンズ枠２０は光軸方向にスライドされる。
【００１６】
図４は固定部材３０の表側面を示す斜視図であり、図５は固定部材３０の裏側面を示す斜視図である。
固定部材３０は裏側面が鏡胴１０の外側面と当接するように断面円弧状に形成されており、ボス２１が挿通される挿通孔３２と、固定ネジ３１が挿通される長穴３３とが設けられている。
【００１７】
図５に示すように、固定部材３０の鏡胴側の面には、長穴３３に対して同じ側に等距離の位置に、複数の３４，３５が設けられている。突起３４，３５はカム溝１１に係合し、長穴３３のカム溝１１に対する位置を定める。
なお、長穴３３と突起３４，３５との距離は、カム溝１１とネジ孔１２との距離に等しい。このため、突起３４，３５をカム溝１１に係合させると、固定部材３０がボス２１に対して回転することがなく、長穴３３がカム溝１１と均等な間隔となるように配置される。
【００１８】
また、カム溝１１に突起３４，３５を係合させるときに、カム溝１１に対するネジ孔１２と同じ側に長穴３３を配置することで、長穴３３のいずれかの位置にネジ孔１２が配置される。このため、図２に示すように、固定ネジ３１を長穴３３に挿通させた状態でネジ孔１２に螺合させることができる。
固定部材３０は、長穴３３に挿通させた固定ネジ３１を締め付けることで、鏡胴１０に対して固定される。
【００１９】
次に、焦点調節機構１による焦点調節について説明する。
まず、固定ネジ３１を緩めた状態で、鏡胴１０をレンズ枠２０に対して周方向に回転させる。すると、ボス２１がカム溝１１に沿って移動し、レンズ枠が光軸方向にスライドする。これにより、焦点の調節が行われる。
【００２０】
このとき、ボス２１が挿通孔３２に挿通された固定部材３０は、ボス２１とともにカム溝１１に沿って移動する。なお、カム溝１１に突起３４，３５が係合しているため、固定部材３０がボス２１に対して回転することがなく、固定部材３０は常に長穴３３とカム溝１１とが均等な間隔を保つように移動する。このため、長穴３３に挿通された固定ネジ３１が固定部材３０の移動を妨げることがない。
【００２１】
焦点調節後、固定ネジ３１を締め付けて固定部材３０を鏡胴１０に固定する。すると、ボス２１は固定部材３０の挿通孔３２に挿通されているため、カム溝１１に沿う方向への移動が制限される。以上により、ボス２１が螺合するレンズ枠２０が、鏡胴１０に対して固定される。
【００２２】
このような焦点調節機構によれば、レンズ枠２０が鏡胴１０側へ引っ張られることがなく、レンズ枠２０の歪みやレンズ２３〜２７の偏芯を防ぐことができる。また、長穴３３の任意の位置で固定ネジ３１を締め付け、固定部材３０を固定することができる。
【００２３】
なお、以上の実施形態においては、カメラの焦点調節機構１について説明したが、本発明はこれに限らず、その他の任意の光学機械に適用することが可能である。また、その他の具体的な細部構造についても適宜変更可能であることはもちろんである。
【図面の簡単な説明】
【００２４】
【図１】本発明が適用された焦点調節機構１を示す斜視図である。
【図２】図１のII−II矢視断面図である。
【図３】鏡胴１０を示す斜視図である。
【図４】固定部材３０の表側面を示す斜視図である。
【図５】固定部材３０の裏側面を示す斜視図である。
【図６】従来の焦点調節機構を示す斜視図である。
【符号の説明】
【００２５】
１，１０１    焦点調節機構
１０，１１０  鏡胴
１１   カム溝
２０，１２０  レンズ枠
２１，１２１  ボス
３０   固定部材
３１   固定ネジ
３２   挿通孔
３３   長穴
３４，３５    突起
【図１】
2008083540.tif 000003
【図２】
2008083540.tif 000004
【図３】
2008083540.tif 000005
【図４】
2008083540.tif 000006
【図５】
2008083540.tif 000007
【図６】
2008083540.tif 000008